(57)【要約】【課題】両端の開口した中空孔が長手方向に成され、且つ、中空孔に沿って埋設された複数本のＰＣ鋼線によりプレストレスが導入されたプレキャストコンクリート部材を床組に利用することによって、ＰＣ小梁やハーフＰＣ小梁における問題点を解決し、高品質の床スラブを容易かつ迅速に構築できるようにする。【解決手段】両端の開口した中空孔ａが長手方向に形成され、且つ、中空孔ａに沿って埋設された複数本のＰＣ鋼線２によりプレストレスが導入された中空棒状のプレキャストコンクリート部材３を大梁４に架設し、鉄筋トラス付デッキプレート５をプレキャストコンクリート部材３に架設し、これらの上にコンクリート６を現場打ちして床スラブ１を構築する。【選択図】図６
2011094335.tif 000002
【特許請求の範囲】
【請求項１】
両端の開口した中空孔が長手方向に形成され、且つ、中空孔に沿って埋設された複数本のＰＣ鋼線によりプレストレスが導入された中空棒状のプレキャストコンクリート部材を大梁に架設し、既製床版をプレキャストコンクリート部材に架設し、これらの上にコンクリートを現場打ちして床スラブを構築することを特徴とする床スラブの構築方法。
【請求項２】
大梁がコンクリートを現場打ちすることによって構成されている請求項１に記載の床スラブの構築方法。
【請求項３】
大梁がハーフプレキャストコンクリート部材とその上部に現場打ちされたコンクリートとで合成されている請求項１に記載の床スラブの構築方法。
【請求項４】
大梁に架設された中空棒状のプレキャストコンクリート部材の端部上方に端部補強筋を配筋し、且つ、当該プレキャストコンクリート部材の端部の中空孔内部に、大梁の上端主筋の上部に交差した状態に配筋された上部水平鉄筋部分と、その端部から斜め下方に折り曲げられた傾斜鉄筋部分と、その端部から水平に折り返された下部水平鉄筋部分とを備えて成る吊り上げ筋の傾斜鉄筋部分の下端側及び下部水平鉄筋部分を挿入し、中空孔内部に流入した現場打ちコンクリートに埋設させるようにしたことを特徴とする請求項１〜３の何れかに記載の床スラブの構築方法。
【発明の詳細な説明】
【技術分野】
【０００１】
本発明は、鉄筋コンクリート造の床スラブを構築する方法に関する。
【背景技術】
【０００２】
鉄筋コンクリート造の床スラブを構築するにあたり、床組の構成部材である小梁として、プレキャストコンクリート部材（ＰＣ小梁）を用いたり、ハーフプレキャストコンクリート部材（ハーフＰＣ小梁）を用いることは、既に多くの施工実績があり、特許文献１、２等によって提案されてもいる。小梁用のプレキャストコンクリート部材（ＰＣ小梁）は、上端主筋及び下端主筋と、それらの外周に巻き掛けてせん断補強するスターラップが埋設されたものである。小梁用のハーフプレキャストコンクリート部材（ハーフＰＣ小梁）は、下端主筋とスターラップをスターラップの上端側がコンクリート面から突出した状態に埋設し、現場で上端主筋を配筋し、上部に現場打ちされたコンクリートと合成されて小梁となるように構成されたものである。
【０００３】
ＰＣ小梁は、現場での配筋作業やコンクリート打設作業が省略される半面、重量が大きくなる傾向があり、トラック等による輸送や現場での小運搬に不便である。逆に、ハーフＰＣ小梁は、軽量化される半面、現場で上端主筋を配筋し、上部にコンクリートを打設するので、ＰＣ小梁よりも床スラブの構築に手間が掛かる傾向がある。
【０００４】
ところで、床用や壁用のプレキャストコンクリート部材としては、両端の開口した中空孔が長手方向に成され、且つ、中空孔に沿って埋設された複数本のＰＣ鋼線によりプレストレスが導入されたプレキャストコンクリート部材（商品名：スパンクリート）が知られている。このプレキャストコンクリート部材は、ＰＣ小梁のように、上端主筋及び下端主筋やスターラップが埋設されていないが、プレストレスが導入されているため、高強度であり、しかも、中空孔を有するため、同厚のプレキャストコンクリート部材に比べて比重が軽くなり、軽量である。
【先行技術文献】
【特許文献】
【０００５】
【特許文献１】特公平７−８８６８８号公報
【特許文献２】特公平７−５１８０５号公報
【発明の概要】
【発明が解決しようとする課題】
【０００６】
本発明は、両端の開口した中空孔が長手方向に成され、且つ、中空孔に沿って埋設された複数本のＰＣ鋼線によりプレストレスが導入されたプレキャストコンクリート部材を床組に利用することによって、ＰＣ小梁やハーフＰＣ小梁における上記の問題点を解決し、高品質の床スラブを容易かつ迅速に構築できるようにすることを目的としている。
【課題を解決するための手段】
【０００７】
上記の目的を達成するために、本発明は、両端の開口した中空孔が長手方向に形成され、且つ、中空孔に沿って埋設された複数本のＰＣ鋼線によりプレストレスが導入された中空棒状のプレキャストコンクリート部材を大梁に架設し、既製床版をプレキャストコンクリート部材に架設し、これらの上にコンクリートを現場打ちして、床スラブを構築している（請求項１）。
【０００８】
請求項２に記載の発明は、請求項１に記載の床スラブの構築方法であって、大梁がコン
クリートを現場打ちすることによって構成されていることを特徴としている。
【０００９】
請求項３に記載の発明は、請求項１に記載の床スラブの構築方法であって、大梁がハーフプレキャストコンクリート部材とその上部に現場打ちされたコンクリートとで合成されていることを特徴としている。
【００１０】
請求項４に記載の発明は、請求項１〜３の何れかに記載の床スラブの構築方法であって、大梁に架設された中空棒状のプレキャストコンクリート部材の端部上方に端部補強筋を配筋し、且つ、当該プレキャストコンクリート部材の端部の中空孔内部に、大梁の上端主筋の上部に交差した状態に配筋された上部水平鉄筋部分と、その端部から斜め下方に折り曲げられた傾斜鉄筋部分と、その端部から水平に折り返された下部水平鉄筋部分とを備えて成る吊り上げ筋の傾斜鉄筋部分の下端側及び下部水平鉄筋部分を挿入し、中空孔内部に流入した現場打ちコンクリートに埋設させるようにしたことを特徴としている。
【発明の効果】
【００１１】
請求項１に記載の発明によれば、両端の開口した中空孔が長手方向に形成され、且つ、中空孔に沿って埋設された複数本のＰＣ鋼線によりプレストレスが導入された中空棒状のプレキャストコンクリート部材を大梁に架設し、既製床版をプレキャストコンクリート部材に架設して床組としており、床組の構成部材として、何れも工場製品である中空棒状のプレキャストコンクリート部材及び既製床版を使用しているので、容易に高品質の床組を構築できる。ここで既製床版としては、鉄筋トラス付デッキプレートの他、デッキプレート、またはハーフプレキャスト床版（ハーフＰＣ床版）等も好適に用いられる。
【００１２】
殊に、両端の開口した中空孔が長手方向に成され、且つ、中空孔に沿って埋設された複数本のＰＣ鋼線によりプレストレスが導入された中空棒状のプレキャストコンクリート部材は、ＰＣ小梁やハーフＰＣ小梁と異なり、主筋やせん断補強筋が埋設されていないが、プレストレスが導入されているため、高強度であり、床スラブの一部となって、床スラブに作用する荷重を、既製床版→中空棒状のプレキャストコンクリート部材→大梁へと流すことができる。また、中空棒状のプレキャストコンクリート部材は、中空孔を有するため、同厚のＰＣ小梁に比べて比重が軽くなり、軽量であるから、トラック等による輸送や現場での小運搬に有利であり、ハーフＰＣ小梁のような現場での上端主筋の配筋作業も不要である。これらの結果として、高品質の床スラブを容易かつ迅速に構築できることになる。
【００１３】
尚、大梁としては、請求項２に記載の発明のように、コンクリートを現場打ちすることによって構成されたものでもよいが、請求項３に記載の発明のように、大梁がハーフプレキャストコンクリート部材とその上部に現場打ちされたコンクリートとで合成されるようにすることが、大梁用型枠工事を省略できる点で好ましい。
【００１４】
請求項４に記載の発明によれば、大梁に架設された中空棒状のプレキャストコンクリート部材の端部上方に端部補強筋を配筋し、且つ、当該プレキャストコンクリート部材の端部の中空孔内部に、大梁の上端主筋の上部に交差した状態に配筋された上部水平鉄筋部分と、その端部から斜め下方に折り曲げられた傾斜鉄筋部分と、その端部から水平に折り返された下部水平鉄筋部分とを備えて成る吊り上げ筋の傾斜鉄筋部分の下端側及び下部水平鉄筋部分を挿入し、中空孔内部に流入した現場打ちコンクリートに埋設させるので、中空棒状のプレキャストコンクリート部材と大梁との接合が強固に行われ、接合部におけるクラックの発生を防止できる。
【図面の簡単な説明】
【００１５】
【図１】本発明の方法により構築された床スラブの概略斜視図である。
【図２】床組の概略平面図である。
【図３】床組の要部の平面図である。
【図４】図３のＡ−Ａ線断面図である。
【図５】床スラブの要部の断面図である。
【図６】図３のＢ−Ｂ線断面図である。
【図７】床スラブの要部の断面図である。
【図８】本発明の他の実施形態を示す床組の概略斜視図である。
【図９】要部の断面図である。
【図１０】要部の断面図である。
【発明を実施するための形態】
【００１６】
図１は本発明の方法により構築された床スラブ１を示し、図２は床組を示す。床組は、図２〜図４、図６に示すように、両端の開口した中空孔ａが長手方向に形成され、且つ、中空孔ａに沿って埋設された複数本のＰＣ鋼線２によりプレストレスが導入された中空棒状のプレキャストコンクリート部材３を大梁４に架設し、鉄筋トラス付デッキプレート５をプレキャストコンクリート部材３に架設することによって構築され、図１、図５、図７に示すように、上部にコンクリート６を現場打ちすることによって床スラブ１が構成されている。コンクリート６に所定の強度が発現するまで、プレキャストコンクリート部材３、鉄筋トラス付デッキプレート５、大梁用の型枠７は、下階に林立させたパイプサポート８によって支持される。
【００１７】
中空棒状のプレキャストコンクリート部材１としては、例えば、商品名：スパンクリートが用いられる。大梁４は、型枠７内に梁配筋（上端主筋９ａ、下端主筋９ｂ、スターラップ９ｃ等）９及びコンクリート６の現場打ちを行うことによって構成される。図示の鉄筋トラス付デッキプレート５は、亜鉛メッキ鋼板製の捨型枠５ａと、捨型枠５ａの上面に吊り材５ｂを介して取り付けられた鉄筋トラス５ｃとによって構成されている。５ｄは、鉄筋トラス５ｃの上弦材、５ｅは下弦材、５ｆは斜材である。
【００１８】
１０は、大梁４に架設された中空棒状のプレキャストコンクリート部材３の端部上方に配筋された端部補強筋である。図３、図４、図６、図７に示す１１は、大梁４の上端主筋９ａの上部に交差した状態に配筋された上部水平鉄筋部分１１ａと、その端部から斜め下方に折り曲げられた傾斜鉄筋部分１１ｂと、その端部から水平に折り返された下部水平鉄筋部分１１ｃとを備えて成る吊り上げ筋である。吊り上げ筋１１の傾斜鉄筋部分１１ｂの下端側及び下部水平鉄筋部分１１ｃはプレキャストコンクリート部材３の端部の中空孔ａ内部に挿入され、床スラブ１を構築した状態において、中空孔ａ内部に流入したコンクリート６に埋設されるようにしてある。但し、図７に示すようにコンクリート６は、中空孔ａ内部の全てに流入させる必要はなく、コンクリート６と下部水平鉄筋部分１１ｃとの付着強度が保持できる範囲まで埋設されていれば良い。ちなみに本実施形態では、下部水平鉄筋部分１１ｃの端部からプレキャストコンクリート部材３の中央に向かって、余長分を含めて１００ｍｍの位置までコンクリート６を埋設している。ｂはプレキャストコンクリート部材３の端部上端に形成された切欠きである。
【００１９】
上記の構成によれば、両端の開口した中空孔ａが長手方向に形成され、且つ、中空孔ａに沿って埋設された複数本のＰＣ鋼線２によりプレストレスが導入された中空棒状のプレキャストコンクリート部材３を大梁４架設し、鉄筋トラス付デッキプレート５をプレキャストコンクリート部材３に架設して床組としており、床組の構成部材として、何れも工場製品である中空棒状のプレキャストコンクリート部材３及び鉄筋トラス付デッキプレート５を使用しているので、容易に高品質の床組を構築できる。
【００２０】
殊に、両端の開口した中空孔ａが長手方向に成され、且つ、中空孔ａに沿って埋設され
た複数本のＰＣ鋼線２によりプレストレスが導入された中空棒状のプレキャストコンクリート部材３は、ＰＣ小梁やハーフＰＣ小梁と異なり、主筋やせん断補強筋が埋設されていないが、プレストレスが導入されているため、高強度であり、床スラブ１の一部となって、床スラブ１に作用する荷重を、鉄筋トラス付デッキプレート５→中空棒状のプレキャストコンクリート部材３→大梁４へと流すことができる。また、中空棒状のプレキャストコンクリート部材３は、中空孔ａを有するため、同厚のＰＣ小梁に比べて比重が軽くなり、軽量であるから、トラック等による輸送や現場での小運搬に有利であり、ハーフＰＣ小梁のような現場での上端主筋の配筋作業も不要である。これらの結果として、高品質の床スラブを容易かつ迅速に構築できることになる。
【００２１】
図８〜図１０は、本発明の他の実施形態を示す。この実施形態は、大梁４がハーフプレキャストコンクリート部材４ａとその上部に現場打ちされたコンクリート６とで合成されるようにした点に特徴がある。大梁用のハーフプレキャストコンクリート部材４ａには、中空棒状のプレキャストコンクリート部材３の端部を嵌め込む凹溝ｃがプレキャストコンクリート部材３の配置間隔を隔てて形成されている。そして、吊り上げ筋１１の傾斜鉄筋部分１１ｂの下端側及び下部水平鉄筋部分１１ｃをプレキャストコンクリート部材３の端部の中空孔ａ内部に挿入し、コンクリート６を現場打ちして床スラブ１を構築した状態においては、図７の場合と同じように、中空孔ａの開口端、プレキャストコンクリート部材３の切欠きｂから中空孔ａ内部に流入したコンクリート６に埋設するように構成されている。但し、コンクリート６の中空孔ａ内部への埋設については、前記の実施形態と同様であるので、説明は省略する。
【００２２】
プレキャストコンクリート部材３の断面形状は、図４、図５で示したような両側面に凹入部を有するものであってもよいが、図８に示すように、平滑な両側面を有する断面形状であることが、凹溝ｃとプレキャストコンクリート部材３の隙間からコンクリート６が流出するのを防止する上で、望ましい。
【００２３】
上記の構成によれば、大梁用型枠工事を省略でき、高品質の床スラブを一層容易かつ迅速に構築できることになる。その他の構成、作用は、図１〜図７の実施形態と同じであるため、同一構成部材に同一符号を付し、説明を省略する。
【産業上の利用可能性】
【００２４】
本発明の床スラブの構築方法は、事務所ビル、集合住宅、商業施設等における床スラブの構築に利用できる。
【符号の説明】
【００２５】
１  床スラブ
２  ＰＣ鋼線
３  中空棒状のプレキャストコンクリート部材
４  大梁
４ａ  ハーフプレキャストコンクリート部材
５  鉄筋トラス付デッキプレート
５ａ  捨型枠
５ｂ  吊り材
５ｃ  鉄筋トラス
５ｄ  上弦材
５ｅ  下弦材
５ｆ  斜材
６  コンクリート
７  型枠
８  パイプサポート
９  梁配筋
９ａ  上端主筋
９ｂ  下端主筋
９ｃ  スターラップ
１０  端部補強筋
１１  吊り上げ筋
１１ａ  上部水平鉄筋部分
１１ｂ  傾斜鉄筋部分
１１ｃ  下部水平鉄筋部分
ａ  中空孔
ｂ  切欠き
ｃ  凹溝
【図１】
2011094335.tif 000003
【図２】
2011094335.tif 000004
【図３】
2011094335.tif 000005
【図４】
2011094335.tif 000006
【図５】
2011094335.tif 000007
【図６】
2011094335.tif 000008
【図７】
2011094335.tif 000009
【図８】
2011094335.tif 000010
【図９】
2011094335.tif 000011
【図１０】
2011094335.tif 000012